(57)【要約】【課題】携帯機器（１０、２０）のユーザが、独自のリスト（ＵＬ）を介して、遠隔サーバ（３０）に保存されているデータにアクセスすることを可能にし、携帯機器（１０、２０）に接続されたホストマシン（４０、４１）に新しい特殊なソフトウェアをインストールする必要なしに、統合されたビューを携帯可能とする。【解決手段】ホストマシン（４０、４１）に接続された携帯電子機器（１０、２０）のデータ管理方法において、前記機器（１０、２０）は第一のデータを含み、ホストマシン（４０、４１）は第二のデータを含む遠隔データサーバ（３０）に接続されており、機器（１０、２０）内で第一および第二のデータを列挙する独自のリストを構成し、その機器（１０、２０）からホストマシン（４０、４１）へ独自のリスト（ＵＬ）を転送する。【選択図】図１
2010514037.tif 000002
【特許請求の範囲】
【請求項１】
ホストマシン（４０）に接続された携帯電子機器（１０）のデータ管理方法であり、前記機器（１０）は、第一のデータ（Ｄ１０）を含み、ホストマシン（４０）は、第二のデータ（Ｄ３０）を含む遠隔データサーバ（３０）に接続されており、
前記方法は、下記の；
‐機器（１０）内で、第一および第二のデータ(Ｄ１０、Ｄ３０)を列挙する独自のリスト（ＵＬ）を構成し、
‐機器（１０）からホストマシン（２０）へ独自のリスト（ＵＬ）を転送する
段階を有することを特徴とする、管理方法。
【請求項２】
第三のデータ（Ｄ１１）が持続して機器（１０）に保存され、前記第三のデータ（Ｄ１１）が第二の遠隔データ（Ｄ３０）を列挙し、独自のリスト（ＵＬ）が第一および第三のデータ（Ｄ１０、Ｄ１１）から構成されることを特徴とする、請求項１に記載の方法。
【請求項３】
前記遠隔サーバ（３０）は、遠隔サーバ（３０）に保存された第二のデータ（Ｄ３０）を列挙する第四のデータ（３４）を含み、独自のリスト（ＵＬ）の構成は、下記の；
‐ホストマシン（４０）を介して、機器（１０）と遠隔サーバ（３０）との間でデータ交換セッションを設定し、
‐遠隔サーバ（３０）から機器（１０）へ前記第四のデータ（Ｄ３４）を転送し、
‐機器（１０）内で、第一および第四のデータ（Ｄ１０、Ｄ３４）から独自のリスト（ＵＬ）を構成する
段階を有することを特徴とする、請求項１に記載の方法。
【請求項４】
機器（１０）と遠隔サーバ（３０）との間のデータ交換セッションの設定の後に、遠隔サーバ（３０）に保存された第二のデータ（Ｄ３０）を列挙する第四のデータ（Ｄ３４）を機器（１０）に転送し、次に、遠隔サーバ（３０）に保存された第二の遠隔データ（Ｄ３０）を列挙する第三のデータ（Ｄ１１）が、受信された第四のデータ（Ｄ３４）に応じて、機器（１０）内で更新されることを特徴とする、請求項１に記載の方法。
【請求項５】
ホストマシン（４０）によって送信された遠隔データ（Ｄ３０）の読み取り要求の後に、遠隔サーバ（３０）に保存されたデータ（Ｄ３０）は、まず、サーバ（３０）によって機器（１０）に転送され、次に、前記機器（１０）によってホストマシン（４０）に転送されることを特徴とする、請求項１〜４のいずれか一つに記載の方法。
【請求項６】
ホストマシン（４０）に転送されたデータの独自のリスト（ＵＬ）は、リスト（ＵＬ）の各データのローカライゼーションを示す情報を含むことを特徴とする、請求項１〜５のいずれか一つに記載の方法。
【請求項７】
機器（１０）内に保存された第一のデータ（Ｄ１０）へのアクセスは、アクセス条件（ＡＣ１）の確認を受け、機器（１０）と遠隔サーバ（３０）との間のデータ交換セッションの設定は、前記アクセス条件（ＡＣ１）の確認の成功を受けることを特徴とする、請求項３または４に記載の方法。
【請求項８】
遠隔サーバ（３０）は、遠隔サーバ（３０）に保存された第三のデータ（Ｄ３０）に関連するアクセス条件（ＡＣ３）に関するデータ（Ｄ３３）を含み、前記アクセス条件（ＡＣ３）の確認は、機器（１０）によって自動的にアクティベイトされることを特徴とする、請求項３または４に記載の方法。
【請求項９】
機器（１０）は、遠隔サーバ（３０）のデータへのアクセス情報（Ｄ１２）を含み、そして、前記機器（１０）と遠隔サーバ（３０）との間のデータ交換セッションの設定の後に、アクセス条件（ＡＣ３）に関するデータ（Ｄ３３）を機器（１０）に転送し、次に、遠隔サーバ（３０）のデータへの前記アクセス情報（Ｄ１２）が、受信されたデータ（Ｄ３３）に応じて、機器（１０）内で更新されることを特徴とする、請求項８に記載の方法。
【請求項１０】
アクセス条件（ＡＣ３）に関するデータ（Ｄ３３）は、第一の機器（１０）によって変更され、それにより、第一の機器（１０）と同型の第二の携帯電子機器（２０）による、前記第二のデータ（Ｄ３０）へのアクセスが許可されることを特徴とする、請求項８または９に記載の方法。
【請求項１１】
遠隔サーバ（３０）は、第二の携帯機器（２０）に保存されたデータ（Ｄ２０）を列挙する第五のデータ（Ｄ３８）を含み、第一の機器（１０）と遠隔サーバ（３０）との間のデータ交換セッションの設定の後に、前記第五のデータ（Ｄ３８）が第一の機器（１０）に転送され、次に、遠隔データを列挙する第三のデータ（Ｄ１１）が、受信された第五のデータ（Ｄ３８）に応じて、第一の機器（１０）内で更新されることを特徴とする、請求項１０に記載の方法。
【請求項１２】
遠隔サーバ（３０）は、第二の機器（２０）に保存されたデータ（Ｄ２０）へのアクセス情報（Ｄ３２）を含み、第一の機器（１０）と遠隔サーバ（３０）との間のデータ交換セッションの設定の後に、第二の機器（２０）に保存されたデータ（Ｄ２０）への前記アクセス情報（Ｄ３２）が第一の機器（１０）に転送され、次に、遠隔データへのアクセス情報を含むデータ（Ｄ１２）が、受信されたアクセス情報（Ｄ３２）に応じて、第一の機器（１０）内で更新されることを特徴とする、請求項１０に記載の方法。
【請求項１３】
ホストマシン（４０）に接続されるための、マイクロプロセッサ（７０）および第一のデータ（Ｄ１０）を含むデータメモリ（ＭＥＭ１）を有する携帯機器であり、前記ホストマシン（４０）は、第二のデータ（Ｄ３０）を含む遠隔サーバ（３０）に接続されるためのものであり、前記機器（１０）は、第一および第二のデータ（Ｄ１０、Ｄ３０）を列挙する独自のリスト（ＵＬ）を構成するための手段および独自のリスト（ＵＬ）をホストマシン（４０）へ転送する手段を含むことを特徴とする、携帯機器。
【請求項１４】
前記機器（１０）は、遠隔サーバ（３０）に位置する第二のデータ（Ｄ３０）を列挙する第三のデータ（Ｄ１１）を含むことを特徴とする、請求項１３に記載の携帯機器。
【請求項１５】
前記機器（１０）は、遠隔サーバ（３０）のデータ（Ｄ３０）へのアクセス情報（Ｄ１２）を含むことを特徴とする、請求項１３または１４に記載の携帯機器。
【請求項１６】
前記機器（１０）は、チップカードまたはデータ保存用のＵＳＢキーであることを特徴とする、請求項１３〜１５のいずれか一つに記載の携帯機器。
【請求項１７】
マイクロプロセッサ（７２）および遠隔データ（Ｄ３０）を含むデータメモリ（ＭＥＭ３）を有する、ホストマシン（４０）に接続されるためのサーバであり、前記ホストマシン（４０）は、請求項１３〜１６のいずれか一つに記載の携帯機器（１０）に接続されるためのものであり、前記機器（１０）は、ローカルデータ（Ｄ１０）を含むものであり、サーバ（３０）は、機器（１０）とサーバ（３０）との間のデータ交換セッションの設定の後に、機器（１０）の要求への応答を転送する手段を含み、前記応答は、遠隔データ（Ｄ３０）を列挙するデータを含むことを特徴とする、サーバ。
【発明の詳細な説明】
【技術分野】
【０００１】
本発明は、分散環境でのデータの管理方法および機器に関するものである。さらに正確には、本発明は、複数の機器に保存された複数のデータの統合されたビューを提供するためのデータ管理方法に関するものである。
【背景技術】
【０００２】
ＵＳＢメモリキーなどの携帯電子機器は、取り外し可能な保存スペースを提供するが、そのサイズは、機器の物理メモリのサイズによって制限される。そのような機器は、機器に保存されたデータにアクセスすることができるホストマシンに接続される。機器内に保存されたデータは、機器のローカルメモリ内に記憶されたデータである。
【０００３】
また、より低いコストでより大きな保存スペースをユーザに提供する、オンライン保存の解決法が公知である。しかし、遠隔サーバ内に保存された遠隔メモリの場合、ユーザは、ＵＳＢキー型機器の場合のように、そのデータに確実にアクセスすることができない。
【０００４】
他方、ローカルメモリ内および遠隔メモリ内に配置されたデータに同時にアクセスすることを望むユーザは、複数の異なるビューを使用しなければならない。これらのビューによって、ユーザは、各ローカライゼーションに応じたデータのリストにアクセスすることができる。ローカルスペースに保存されたデータのビューは、遠隔保存スペースに存在するデータを含まず、また、その逆も同様である。
【０００５】
国際公開第０２／０１８９１号パンフレットから、携帯電話内で、複数のソースに由来するデータを管理することが公知である。この文献は、データの読み取りおよび書き込み段階の際に、複数のサポートを介して、データのローカライゼーションの選択を自動化することを提案している。この自動化は、分けて配置されたデータにアクセスし、統合されたビューを構成する特定のソフトウェアを使用する携帯電話内で実行される。この解決法は、携帯用ではなく、特定のソフトウェアを備える電話に限定されている。
【０００６】
通常では、ＵＳＢキーは、ファイルの形態でデータを保存する。従来の方法では、ＵＳＢキーは、ホストマシンに位置するファイルの検索側によって取り外し可能なディスクとみなされている。そのようなキーは、それ自体、表示されるビューを生成しないが、ホストマシンのソフトウェアがビューを管理する。一般的に、ファイルのアロケーションテーブルを管理するのは、ホストマシンの検索システムであり、この表のビューを提供するのは、ファイルの検索者である。したがって、これらのキーは受動的であり、それらが内蔵するファイル、さらになお、他のスペースに存在するファイルのそれぞれの固有のビューを提供することができない。
【０００７】
オンラインサーバは、それ自体、サーバが仮保存するファイルのリストを管理し、また、例えば、ＷＥＶＤＡＶ（英語のＷｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇの頭文字）またはＦＴＰ（英語のＦｉｌｅ  Ｔｒａｎｓｆｅｒ  Ｐｒｏｔｏｃｏｌの頭文字）などのプロトコルを介した認証の後に接続されたマシンに位置する検索者が、このリストにアクセスすることを可能にする。
【０００８】
現在のソフトウェアを用いた方法は、統合されたビューを示さないが、ユーザによって選択された場所に存在するファイルの単純なビューを表示する。したがって、ユーザがそのローカル保存スペースのルートに存在するファイルを所有する場合、ユーザは、その遠隔保存スペースのルートに存在するファイルを同一のビューで見ることができない。実際、第二のウィンドウを開くか、従来のデータ管理ツリー形システムに基づくビューを使用しなければならない。
【０００９】
問題は、従来技術では、様々なサポートに由来するデータの管理手段が、ホストマシン、特に、携帯用メモリ機器のホストマシンの代わりを務める携帯電話内に設置されることである。また、別の問題は、ユーザがホストマシンに専用のプログラムをインストールしなければ、様々なサポートに由来するデータの全体を独自のビューで享受することができないことである。
【発明の概要】
【発明が解決しようとする課題】
【００１０】
本発明は、統合されたビューの携帯機器のユーザが、携帯機器に存在する独自のリストを介して、遠隔サーバに保存されているデータにアクセスすることを可能にすることを目的とするものである。本発明は、そのようにして、このビューが携帯可能であり、携帯機器に接続されたホストマシンに新しい特殊なソフトウェアをインストールする必要がないようにすることを目的とする。
【課題を解決するための手段】
【００１１】
本発明は、ホストマシンに接続された携帯電子機器のデータ管理方法である。前記機器は、第一のデータを含み、ホストマシンは、第二のデータを含む遠隔データサーバに接続される。その方法は、下記の；
‐機器内で、第一および第二のデータを列挙する独自のリストを構成し、
‐機器からホストマシンへ独自のリストを転送する、
段階を有する。
【００１２】
好ましくは、第三のデータが持続して機器に保存することができる。これらの第三のデータは、第二の遠隔データを列挙する。独自のリスト（ＵＬ）は、第一および第三のデータから構成することができる。
【００１３】
変形例では、遠隔サーバは、遠隔サーバに保存された第二のデータを列挙する第四のデータを含みうる。独自のリストの構成は、下記の；
‐ホストマシンを介して機器と遠隔サーバとの間でデータ交換セッションを設定し、
‐遠隔サーバから機器へ前記第四のデータを転送し、
‐機器内の第一および第四のデータから独自のリストを構成する、
段階を有する。
【００１４】
好ましくは、機器と遠隔サーバとの間のデータ交換セッションの設定の後に、遠隔サーバに保存された第二のデータを列挙する第四のデータを機器に転送することができる。次に、遠隔サーバに保存された第二の遠隔データを列挙する第三のデータを、受信された第四のデータに応じて、機器内で更新することができる。
【００１５】
有利には、ホストマシンによって送信された遠隔データの読み取り要求の後に、遠隔サーバに保存されたデータは、まず、サーバによって機器に転送され、次に、前記機器によってホストマシンに転送できる。
【００１６】
変形例では、ホストマシンに転送されたデータの独自のリストは、リストの各データのローカライゼーションを示す情報を含みうる。
【００１７】
好ましくは、機器内に保存された第一のデータへのアクセスは、アクセス条件の確認を受けることができる。この場合、機器と遠隔サーバとの間のデータ交換セッションの設定は、前記アクセス条件の確認の成功を受ける。
【００１８】
有利には、遠隔サーバは、遠隔サーバに保存された第三のデータに関連するアクセス条件に関するデータを含みうる。この場合、前記アクセス条件の確認は、機器によって自動的にアクティベイトすることができる。
【００１９】
変形例では、機器は、遠隔サーバのデータへのアクセス情報を含みうる。この場合、前記機器と遠隔サーバとの間のデータ交換セッションの設定の後に、アクセス条件に関するデータが機器に転送され、次に、遠隔サーバのデータへの前記アクセス情報が、受信されたデータに応じて、機器内で更新されることがある。
【００２０】
有利には、アクセス条件に関するデータは、第一の機器によって変更することができ、それにより、第一の機器と同型の第二の携帯電子機器による第二のデータへのアクセスが許可される。
【００２１】
変形例では、遠隔サーバは、第二の携帯機器に保存されたデータを列挙する第五のデータを含みうる。第一の機器と遠隔サーバとの間のデータ交換セッションの設定の後に、第五のデータが第一の機器に転送されることがあり、次に、遠隔データを列挙する第三のデータが、受信された第五のデータに応じて、第一の機器内で更新されることがある。
【００２２】
変形例では、遠隔サーバは、第二の機器に保存されたデータへのアクセス情報を含みうる。第一の機器と遠隔サーバとの間のデータ交換セッションの設定の後に、第二の機器に保存されたデータへのアクセス情報が第一の機器に転送される。次に、遠隔データへのアクセス情報を含むデータが、受信されたアクセス情報に応じて第一の機器内で更新されることがある。
【００２３】
本発明の携帯機器は、また、ホストマシンに接続されるための、マイクロプロセッサおよび第一のデータを含むデータメモリを有する携帯機器である。ホストマシンは、第二のデータを含む遠隔サーバに接続されるためのものである。機器は、第一および第二のデータを列挙する独自のリストを構成するための手段および独自のリストをホストマシンへ転送するための手段を含む。
【００２４】
携帯機器は、好ましくは、遠隔サーバに配置された第二のデータを列挙する第三のデータを含みうる。
【００２５】
携帯機器は、有利には、遠隔サーバのデータへのアクセス情報を含みうる。
【００２６】
好ましくは、携帯機器は、チップカードまたはデータ保存用のＵＳＢキーである。
【００２７】
本発明は、また、マイクロプロセッサおよび遠隔データを含むデータメモリを有する、ホストマシンに接続されるためのサーバである。ホストマシンは、前述の携帯機器に接続されるためのものである。機器はローカルデータを含み、サーバは、機器とサーバとの間のデータ交換セッションの設定の後に、機器の要求への応答を転送する手段を含む。応答は、遠隔データを列挙するデータを含む。
【００２８】
本発明のその他の特徴および利点は、例として示した、以下の図面を参照に行われる説明を読むことにより明らかになるであろうが、それらは本発明を限定する趣旨のものではない。
【図面の簡単な説明】
【００２９】
【図１】サーバ、二つのホストマシン、チップカードおよび分けて配置されたデータ管理手段を備えるＵＳＢキーを備えるシステムを示す図である。
【図２】本発明の範囲内で構成されるような独自のリストの一例を示す図である。
【発明を実施するための形態】
【００３０】
本発明は、ホストマシンに接続されるあらゆる型の携帯電子機器に適用することができる。特に、プロセッサおよび、ＵＳＢキーまたあるいはチップカードのような、一つまたは複数のメモリを集めた携帯型のセキュリティデジタル機器に適用することができる。
【００３１】
本発明の利点は、携帯電子機器のユーザが、携帯機器のメモリに物理的に保存されているデータのサイズを越える容量のデータに、アクセスすることが可能になることである。データの一部は、遠隔サーバに保存することができる。本発明によると、このデータへのアクセスは、ユーザのデータが保存されている遠隔データサーバへのアクセスを可能にするネットワークに接続されたホストマシンであれば、どれからでも実行することができる。
【００３２】
好ましい一つの実施態様によると、データ管理方法は、図１に示したように、チップカード１０と遠隔サーバ３０によって実施される。チップカードは、マイクロプロセッサ７０、利用可能なデータＤ１０、遠隔データを列挙するデータＤ１１および遠隔データへのアクセス情報を含むデータＤ１２を含むメモリＭＥＭ１を含む。遠隔サーバ３０は、マイクロプロセッサ７２、利用可能なデータＤ３０、サーバ３０に保存されたデータを列挙するデータＤ３４およびサーバ３０に保存されたデータへのアクセス情報ＡＣ３を含むデータＤ３３を含む、メモリＭＥＭ３を含む。
【００３３】
ホストマシン４０は、一方がチップカード１０に、もう一方が遠隔サーバ３０に接続されている。ホストマシン４０は、例えば、エクスプロレーションシステム、ファイルエクスプローラ、ウェブナビゲータなどのこの型のマシンには通常インストールされているソフトウェアを備えるコンピュータでありうる。
【００３４】
カード１０のメモリＭＥＭ１とサーバ３０のＭＥＭ３のそれぞれにおいて、データは、ツリー形のリストに保存されたファイルの形態で構造化されうる。
【００３５】
ホストマシン４０がチップカード１０のデータのリストを視覚化しなければならないとき、ファイルのビュー要求が、ホストマシン４０によってチップカード１０へ転送される。そのとき、チップカード１０は、ホストマシン４０によって構成されたアクセスブリッジを使用して、遠隔サーバ３０とのデータ交換セッションを設定する。次に、チップカード１０は、遠隔サーバ３０で該カードがアクセスすることができるファイルのリストを要求する。次に、サーバが、ホストマシン４０を介して転送することによって、チップカード１０に対応するファイルのリストを返送する。そのとき、チップカード１０は、カード自体およびサーバに存在するファイルの独自のリスト（ＵＬ）を構成する。このリストＵＬは、ファイルの統合されたＨＴＭＬフォーマットのビューとして実現される。続いて、このＨＴＭＬビューは、ホストマシン４０に送られる。最後に、ホストマシンのウェブナビゲータが、様々なサポートにローカライゼーションされたファイルの、統合されたＨＴＭＬフォーマットのビューの形態の、ファイルの独自のリスト（ＵＬ）をディスプレイする。ウェブナビゲータとは、例えば、インターネットエクスプローラーまたはモジラファイアフォックスでありうる。ホストマシン４０がサーバ３０に保存されたデータＤ３０を読むことを要求するとき、まず、データＤ３０がカード１０に転送され、次に、カード１０は、このデータがカード１０だけから由来するかのように、データＤ３０をホストマシン４０に転送する。カードおよび遠隔サーバ上の二つのリストが同じ名前をもつとき、ローカルおよび遠隔ファイルは、独自のリストとして示される。
【００３６】
第一の解決法によると、データの独自のリストは、ＦＴＰまたはＷＥＢＤＡＶフォーマットのデータの統合されたビューＵＬの形態で実現できる。そのとき、独自のリストＵＬは、例えばウィンドウズエクスプローラー（登録商標）のような従来のファイル検索ソフトウェアによってホストマシンに表示される。
【００３７】
第二の解決法によると、特殊なソフトウェアをホストマシンにあらかじめインストールすることができる。データの独自のリストＵＬは、ＦＴＰまたはＷＥＢＤＡＶなどのような規格化されたフォーマット、または特定のフォーマットのデータの統合されたビューの形態で実現できる。したがって、転送後、独自のリストＵＬは、特殊なソフトウェアによってホストマシンにディスプレイされる。
【００３８】
別の変形例によると、データの独自のリストＵＬの構成は、遠隔サーバ３０とのデータ交換セッションの設定なしに、チップカード１０によって行なわれる。そのとき、カード１０は、遠隔データを列挙するデータＤ１１を使用して、カード自体およびサーバに存在するデータの独自のリストＵＬを構成する。この解決法によって、ホストマシンの初期要求への応答時間が改善される。
【００３９】
別の解決法によると、カード１０は、遠隔サーバ３０とのデータ交換セッションを設定することを試みるが、遠隔データを列挙するデータＤ１１だけを使用して、カード自体とサーバに存在するデータの独自のリストＵＬを構成する。独自のリストＵＬによって、カードは、カード１０と遠隔サーバ３０との間の接続状態に関する補足情報を転送することができる。これらの補足情報は、ホストマシンによって検索することができ、それにより、ユーザに独自のリストＵＬのデータに即座にアクセスできるかできないかを示す。
【００４０】
別の変形例によると、チップカード１０と遠隔サーバＤ３０との間のデータ交換セッションの設定の後に、サーバ３０に保存されたデータＤ３０を列挙するデータＤ３４がカード１０に転送される。そのとき、カードは、受信されたデータＤ３４に応じて遠隔データＤ３０を列挙するデータＤ１１を更新することができる。この操作により、サーバ３０のデータとカードに保存された対応するリストとの間の同期化が確実になされる。同様に、カード１０は、最後にアクセスされた、または、最も頻繁にアクセスされる遠隔ファイルの一部のコピーを保存することができる。
【００４１】
図２は、カードによる独自のリストＵＬの構成例を示す。この場合、カード１０は、リストの各データのローカライゼーションを示す情報を含む独自のリストＵＬを構成する。これにより、ホストマシンは、それぞれのデータが位置するサポートを正確にする表示をユーザに提供することができる。この場合、ホストマシン４０の統合されたビューを介して、ユーザは、データがカード１０かまたは遠隔サーバ３０に位置しているかを知ることができるだろう。表示は、特に、特別なアイコンまたは特定のカラーコードの形態で実現できる。
【００４２】
機密保持性を保証するためには、カード１０のデータへのアクセスは、アクセス条件ＡＣ１の確認に従わなければならない。この場合、カードのパラメータ化は、カード１０と遠隔サーバ３０との間のデータ交換セッションの設定がアクセス条件ＡＣ１の確認の成功に従うことを予想することができる。したがって、ユーザが正確なアクセス条件を入力したときにしかカード１０はサーバ３０のデータにアクセスすることができない。アクセス条件ＡＣ１は、カード１０のメモリＭＥＭ１の中でデータ１３に保存される。
【００４３】
さらに、サーバ３０に保存されたデータＤ３０は、それ自体、特定のアクセス条件ＡＣ３によって保護されうる。この場合、カード１０と遠隔サーバ３０との間のデータ交換セッションが設定されると、カード１０は、アクセス条件ＡＣ３のアクティベイト要求をサーバ３０に転送する。この要求のパラメータ化のため、カード１０は、遠隔データへのアクセス情報を含むデータＤ１２を使用する。このサーバのデータへのアクセス条件のアクティベイトは、カードによって自動的に開始される。この自動化は、特にカードのデータへのアクセス条件ＡＣ１が、サーバ３０のデータへのアクセス条件ＡＣ３と異なるとき、有利である。このメカニズムによって、遠隔データへのアクセス条件管理をユーザに明らかにして、遠隔データにアクセスするために必要な特性を隠すことができる。アクセス条件は、特に、シークレットコードの提示またはキー認証の設定でありうる。本発明の補足的な利点は、ユーザに、そのカードがホストマシンに挿入されない限り、そのデータにアクセスすることができないことを保証することである。
【００４４】
選択的に、サーバ３０は、そのサーバ３０のデータＤ３０へのアクセス条件に関するデータＤ３３を含みうる。カード１０は、サーバ３０に要求を転送し、データＤ３３を変更し、第二の携帯機器２０によるデータＤ３０へのアクセスを許可することができる。第二の携帯機器は、カード１０と同型のものであり、すなわち、第二の機器２０もまた本発明の一部である。第二の機器２０は、カード１０とは異なる形態のファクタを有することができる。例えば、第二の機器２０は、ＵＳＢキーでありうる。ＵＳＢキー２０は、マイクロプロセッサ７１、利用可能なデータＤ２０および遠隔データへのアクセス情報を含むデータＤ２２を含むメモリＭＥＭ２である。ＵＳＢキー２０へのアクセスの委託によって、カード１０のユーザは、遠隔サーバ３０に保存されたデータＤ３０の全てまたは一部を他の携帯機器のユーザと共有することができる。ＵＳＢキー２０は、サーバ３０に接続された第二のホストマシン４１を介して遠隔サーバ３０のデータＤ３０にアクセスすることができる。アクセスの共有は、一人または複数のユーザの、読み取り専用または読み取り／書き込みでの認証の形態で拒否されうる。
【００４５】
選択的に、サーバ３０はＵＳＢキー２０に保存されたデータＤ２０を列挙するデータＤ３８を含みうる。サーバ３０は、カード１０にデータＤ３８を転送することができる。そのとき、カードは、受信されたデータＤ３８に応じて遠隔データを列挙するデータＤ１１を更新することができる。この操作によって、遠隔アクセス可能なデータのリストとカード内に保存された対応するデータＤ１１との間の同期化が確実になされる。
【００４６】
補足として、遠隔サーバ３０は、カード１０に保存されたデータＤ１０へのアクセス情報に関するデータＤ３２を含みうる。サーバ３０は、ＵＳＢキー２０にデータＤ３２を転送することができる。この場合、遠隔データへのアクセス情報を含むデータＤ２２が、受信されたデータＤ３２に応じて、ＵＳＢキー２０内で更新される。この操作によって、別のカードに配置されたデータのアクセス情報とＵＳＢキー２０に保存された対応するデータＤ２２との間の同期化が確実になされる。この機構によって、ユーザは、他のユーザと安全化された方法でデータを共有することができる。
【００４７】
本発明のまた別の利点は、他の携帯機器２０または遠隔サーバ３０に直接書き込まれたデータに、携帯機器１０を介してアクセスすることが可能であることである。
【００４８】
別の方法では、カード１０は、ホストマシン４０に、カードが通常は実行する処理の一部を委託することができる。例えば、カード１０は、そのカードがホストマシン４０に転送するスクリプトを管理することができる。このスクリプトは、次にホストマシン４０によって翻訳され、実行され、遠隔サーバ３０での認証を実現する。
【００４９】
遠隔サーバ３０に位置するメモリＭＥＭ３のサイズは、サーバの管理者によって、動的に変更することができる。例えば、メモリＭＥＭ３に割り当てられたサイズを大きくすることにより、カード１０のユーザが補足のメモリスペースを使用して、さらに大きな容量のデータを保存することが可能となる。
【００５０】
本発明のまた別の利点は、サポートごとに異なるファイルシステムに保存されたファイルの、統合されたビューを提供することにある。例えば、ファイルシステムは、遠隔サーバ３０ではＮＴＦＳであり、カード１０ではＦＡＴ１６でありうる。
【００５１】
携帯電子機器１０は、接触または非接触の接続により、ホストマシン４０に接続されうる。
【００５２】
選択的に、ユーザの要求によって、または、自動的に、ＵＳＢキー２０は、遠隔サーバ３０にＵＳＢキーが含むデータを送信することにより、サーバが、そのようにして転送されたデータのバックアップコピーを行うことができる。サーバ３０は、専用のおよび／または安全化されたメモリスペースにデータのバックアップを形成することができる。後に、ユーザは、自身が正確に認証された後に、サーバのバックアップデータにアクセスして、ＵＳＢキーの内容を同様に再現することができる。
【００５３】
最後に、本発明の利点は、ユーザが、所定のファイルを、カード１０または遠隔サーバ３０に保存されているかどうかを気にかけることなく検索することができる点である。
【符号の説明】
【００５４】
１０  チップカード
２０  ＵＳＢキー
３０  遠隔サーバ
４０、４１  ホストマシン
７０、７２  マイクロプロセッサ
ＭＥＭ１、ＭＥＭ３  メモリ
【先行技術文献】
【特許文献】
【００５５】
【特許文献１】国際公開第０２／０１８９１号パンフレット
【図１】
2010514037.tif 000003
【図２】
2010514037.tif 000004
【国際調査報告】
2010514037.tif 000005
2010514037.tif 000006
2010514037.tif 000007
2010514037.tif 000008
2010514037.tif 000009
2010514037.tif 000010